(57)【要約】【課題】容器を封緘した際に容器全体の見栄えおよび容器内部の視認性を良好にでき、また、省資源化できる上に、容器に容易に貼着できる。【解決手段】本発明の容器封緘用粘着テープ１０は、容器本体部および該容器本体部に対応する蓋部を有し、容器本体部および蓋部の一方に、容器本体部および蓋部の他方の開口部側の端部が嵌入された嵌入部が設けられた容器に用いられ、帯状の基材１１および基材１１の片面に基材１１の長手方向に沿って設けられた少なくとも２条の粘着剤層１２ａ，１２ｂ，１２ｃを備える。【選択図】図１
2010241459.tif 000002
【特許請求の範囲】
【請求項１】
容器本体部および該容器本体部に対応する蓋部を有し、容器本体部および蓋部の一方に、容器本体部および蓋部の他方の開口部側の端部が嵌入された嵌入部が設けられた容器に用いられる容器封緘用粘着テープであって、
帯状の基材および該基材の片面に基材の長手方向に沿って設けられた少なくとも２条の粘着剤層を備えることを特徴とする容器封緘用粘着テープ。
【請求項２】
容器本体部および該容器本体部に対応する蓋部を有し、容器本体部および蓋部の一方に、容器本体部および蓋部の他方の開口部側の端部が嵌入された嵌入部が設けられた容器と、
基材および該基材の片面に基材の長手方向に沿って帯状に設けられた少なくとも２条の粘着剤層を備える容器封緘用粘着テープとを具備し、
前記容器の嵌入部の外面の一部と、開口部側の端部が前記嵌入部に嵌入された容器本体部または蓋部とに、前記容器封緘用粘着テープの粘着剤層の少なくとも１条が各々貼着されていることを特徴とする容器封緘体。
【請求項３】
容器本体部および該容器本体部に対応する蓋部を有する容器を、容器封緘用粘着テープを用いて封緘する容器封緘体の包装方法であって、
容器として、容器本体部および蓋部の一方に、容器本体部および蓋部の他方の開口部側の端部が嵌入された嵌入部が設けられているものを用い、
容器封緘用粘着テープとして、基材および該基材の片面に基材の長手方向に沿って帯状に設けられた少なくとも２条の粘着剤層を備えているものを用い、
前記容器の嵌入部の外面の一部と、開口部側の端部が前記嵌入部に嵌入された容器本体部または蓋部とに、前記容器封緘用粘着テープの粘着剤層の少なくとも１条を各々貼着することを特徴とする容器封緘体の包装方法。
【発明の詳細な説明】
【技術分野】
【０００１】
本発明は、弁当や惣菜などを収容する容器を封緘するための容器封緘用粘着テープおよび容器封緘体およびその包装方法に関する。
【背景技術】
【０００２】
弁当や惣菜等の食品は、通常、プラスチック製の容器に収容されて陳列、販売されている。その容器としては、容器本体部および該容器本体部に対応する蓋部を有し、容器本体部および蓋部の一方の開口部周縁に、容器本体部および蓋部の他方の開口部周縁を嵌入する嵌入部が設けられた容器が広く使用されている。
従来、食品を収容した容器は、容器本体部と蓋部とが離れることを防止すると共に内部への異物の混入を防止するために、ラップフィルムで包装されていた。
しかしながら、容器全体をラップフィルムで包装すると、容器全体の見栄えが悪くなり、例えば食品においては手作り感が損なわれるという問題を生じた。また、容器内部の視認性が低くなる上に、省資源に反するという問題も有していた。
そこで、最近では、粘着テープを、容器本体部と蓋部とを掛け渡すと共にテープの長手方向が蓋部の端部に対して垂直に配置されるように貼着して容器を封緘することがある（特許文献１参照）。
【先行技術文献】
【特許文献】
【０００３】
【特許文献１】特開平１１−２９２０２８号公報
【発明の概要】
【発明が解決しようとする課題】
【０００４】
しかしながら、特許文献１に記載の容器の封緘方法では、容器全体の見栄え、容器内部の視認性は良好で、省資源化を図れるものの、封緘時の粘着テープの貼着が容易ではないという問題を有していた。
本発明は、前記事情に鑑みてなされたものであり、容器を封緘した際に容器全体の見栄えおよび容器内部の視認性を良好にでき、また、省資源化できる上に、容器に容易に貼着できる容器封緘用粘着テープを提供することを目的とする。さらに、本発明は、容器全体の見栄えおよび容器内部の視認性が良好である上、省資源化できる容器封緘体およびその包装方法を提供することを目的とする。
【課題を解決するための手段】
【０００５】
［１］  容器本体部および該容器本体部に対応する蓋部を有し、容器本体部および蓋部の一方に、容器本体部および蓋部の他方の開口部側の端部が嵌入された嵌入部が設けられた容器に用いられる容器封緘用粘着テープであって、
帯状の基材および該基材の片面に基材の長手方向に沿って設けられた少なくとも２条の粘着剤層を備えることを特徴とする容器封緘用粘着テープ。
［２］  容器本体部および該容器本体部に対応する蓋部を有し、容器本体部および蓋部の一方に、容器本体部および蓋部の他方の開口部側の端部が嵌入された嵌入部が設けられた容器と、
基材および該基材の片面に基材の長手方向に沿って帯状に設けられた少なくとも２条の粘着剤層を備える容器封緘用粘着テープとを具備し、
前記容器の嵌入部の外面の一部と、開口部側の端部が前記嵌入部に嵌入された容器本体部または蓋部との各々に、前記容器封緘用粘着テープの粘着剤層が１条以上貼着されていることを特徴とする容器封緘体。
［３］  容器本体部および該容器本体部に対応する蓋部を有する容器を、容器封緘用粘着テープを用いて封緘する容器封緘体の包装方法であって、
容器として、容器本体部および蓋部の一方に、容器本体部および蓋部の他方の開口部側の端部が嵌入された嵌入部が設けられているものを用い、
容器封緘用粘着テープとして、基材および該基材の片面に基材の長手方向に沿って帯状に設けられた少なくとも２条の粘着剤層を備えているものを用い、
前記容器の嵌入部の外面の一部と、開口部側の端部が前記嵌入部に嵌入された容器本体部または蓋部との各々に、前記容器封緘用粘着テープの粘着剤層を１条以上貼着することを特徴とする容器封緘体の包装方法。
【発明の効果】
【０００６】
本発明の容器封緘用粘着テープは、容器を封緘した際に容器全体の見栄えおよび容器内部の視認性を良好にでき、また、省資源化できる上に、容器に容易に貼着できる。
本発明の容器封緘体は、容器全体の見栄えおよび容器内部の視認性が良好である上、省資源化できる。
本発明の容器封緘体の包装方法は、上記のような容器封緘体を容易に製造できる。
【図面の簡単な説明】
【０００７】
【図１】本発明の容器封緘用粘着テープの一実施形態例を示す部分上面図である。
【図２】図１のＩ−Ｉ’断面図である。
【図３】本発明の容器封緘体の一実施形態例を示す斜視図である。
【図４】図３の容器封緘体の上面図である。
【図５】図３のII−II’断面図である。
【図６】本発明の容器封緘用粘着テープの他の実施形態例を示す部分上面図である。
【図７】本発明の容器封緘体の他の実施形態例を示す断面図である。
【図８】本発明の容器封緘体の他の実施形態例を示す上面図である。
【図９】本発明の容器封緘体の他の実施形態例を示す断面図である。
【図１０】本発明の容器封緘体の他の実施形態例を示す断面図である。
【図１１】本発明の容器封緘体の他の実施形態例を示す断面図である。
【図１２】本発明の容器封緘体の他の実施形態例を示す上面図である。
【発明を実施するための形態】
【０００８】
（容器封緘用粘着テープ）
本発明の容器封緘用粘着テープの一実施形態例について説明する。
図１および図２に、本実施形態例の容器封緘用粘着テープを示す。本実施形態例の容器封緘用粘着テープ１０は、帯状の基材１１と、基材１１の片面に、基材１１の長手方向に沿って連続的に形成された３条の粘着剤層１２ａ，１２ｂ，１２ｃとを備える。
本実施形態例においては、３条の粘着剤層１２ａ，１２ｂ，１２ｃのうち幅方向両端側の粘着剤層１２ａ，１２ｂは、基材１１の幅方向の端部１１ａからやや中央側に設けられている。また、粘着剤層１２ｃは、基材１１の片面の幅方向中央に設けられている。
本実施形態例では、粘着剤層１２ａ、粘着剤層１２ｂおよび粘着剤層１２ｃの幅は同一である。粘着剤層１２ａと粘着剤層１２ｃ、粘着剤層１２ｂと粘着剤層１２ｃとの間隔は同一である。
【０００９】
基材１１としては、例えば、ポリエチレンフィルム、ポリプロピレンフィルム、ポリ塩化ビニルフィルム、ポリ塩化ビニリデンフィルム、ポリエチレンテレフタレートフィルム、セロファン、紙などが挙げられる。これらの中でも、容器内部の視認性がより高くなることから、ポリエチレンフィルム、ポリプロピレンフィルム、ポリ塩化ビニルフィルム、ポリ塩化ビニリデンフィルム、ポリエチレンテレフタレートフィルム、セロファン等の透明フィルムが好ましい。これらは延伸処理が施されていてもよい。
低価格で、巻き回した際に粘着剤層１２ａ，１２ｂ，１２ｃに対する剥離性を有する点からは、延伸ポリプロピレンフィルムがより好ましい。
【００１０】
基材１１の粘着剤層１２ａ，１２ｂ，１２ｃが設けられる側の面には、粘着剤層１２ａ，１２ｂ，１２ｃの密着性を向上させるために、例えば、コロナ処理、火炎処理等の表面処理が施されていてもよい。
【００１１】
基材１１の厚さは材質によって適宜選択される。基材１１が延伸ポリプロピレンフィルムである場合には、厚さは１０〜５０μｍであることが好ましい。基材１１の厚さが１０μｍ以上であれば、充分な強度を確保でき、５０μｍ以下であれば、充分な可撓性を確保できる。
基材１１の幅は、容器封緘用粘着テープ１０が貼着される容器の形状によって適宜選択され、例えば、４０〜６０ｍｍとすることができる。
【００１２】
また、本実施形態例では、基材１１の、粘着剤層１２ｂに隣接する部分と粘着剤層１２ｃに隣接する部分との間の、粘着剤層が設けられていない部分１１ｂには、容器封緘用粘着テープ１０の長手方向に沿った２本の破線状のミシン目Ｃ，Ｃが形成されている。
【００１３】
粘着剤層１２ａ，１２ｂ，１２ｃを構成する粘着剤の粘着成分としては、例えば、アクリル樹脂、ウレタン樹脂、シリコーン、合成ゴム、天然ゴムなどが挙げられる。これらの中でも、透明性および接着性が良好であることから、アクリル樹脂、シリコーンが好ましい。
【００１４】
粘着剤層１２ａ，１２ｂ，１２ｃの厚さは５〜５０μｍであることが好ましい。粘着剤層１２ａ，１２ｂ，１２ｃの厚さが５μｍ以上であれば、充分な粘着性を確保でき、５０μｍ以下であれば、容易に粘着剤層１２ａ，１２ｂ，１２ｃを形成できる。
粘着剤層１２ａ，１２ｂ，１２ｃの幅は、容器封緘用粘着テープ１０が貼着される容器の形状によって適宜選択され、例えば、５〜２０ｍｍとすることができる。
【００１５】
容器封緘用粘着テープ１０を製造する方法としては、例えば、基材１１の片面に、粘着剤層１２ａ，１２ｂ，１２ｃを形成するための粘着剤塗工液を、３条の粘着剤層１２ａ，１２ｂ，１２ｃが形成されるように間隔をあけて塗工し、乾燥させる方法などが挙げられる。
上記包装方法にて使用される粘着剤塗工液は、粘着剤と溶媒とを含有するものである。  溶媒としては、例えば、メタノール、エタノール、イソプロパノール、Ｎ−メチルピロリドン、ジメチルホルムアミド、ジメチルアセトアミド、シクロヘキサノン、アセトン、メチルエチルケトン（ＭＥＫ）、メチルイソブチルケトン、トルエン等が挙げられる。
塗工方法としては、例えば、コンマコート法、スプレーコート法、ロールコート法、グラビアロールコート法、スピンコート法などが挙げられる。
【００１６】
上記の包装方法により得た容器封緘用粘着テープ１０は、必要に応じて、ロール状に巻き回してもよい。容器封緘用粘着テープ１０を巻き回す際には、粘着剤層１２ａ，１２ｂ，１２ｃを、基材１１の、粘着剤層１２ａ，１２ｂ，１２ｃが設けられていない側の面に貼着しながら、粘着剤層１２ａ，１２ｂ，１２ｃが設けられている側の面が内側になるように巻き回せばよい。
【００１７】
上述した容器封緘用粘着テープ１０では、後述するように、中央の粘着剤層１２ｃを容器の嵌入部に貼着し、残りの一方の粘着剤層１２ａを蓋部の側面部に貼着し、残りの他方の粘着剤層を容器本体部の側面部に貼着する。このように貼着することにより、容器本体部と蓋部とを留めることができ、容器を封緘できる。
このような封緘では、容器の一部のみに容器封緘用粘着テープ１０が貼着されるため、容器全体の見栄えおよび容器内部の視認性を良好にでき、また、省資源化できる。
また、この容器封緘用粘着テープ１０では、中央の粘着剤層１２ｃを嵌入部に貼着して位置決めした後に、粘着剤層１２ａ，１２ｂを貼着させることができる。しかも、このような貼着は、コンベアで容器を移動させながら行うことができる。したがって、容器封緘用粘着テープ１０は、容器に容易に貼着できる。
また、容器封緘用粘着テープ１０では、容器本体部２１および蓋部２２に接しない部分に粘着剤を有さない。容器本体部２１および蓋部２２に接しない部分に粘着剤を有すると、埃等が付着したり、所定の通りの貼着ができないことがある。しかし、容器封緘用粘着テープ１０では、容器本体部２１および蓋部２２に接しない部分に粘着剤を有さないため、埃等の付着を防止でき、所定の通りに確実に貼着できる。
さらに、容器封緘用粘着テープ１０は、幅方向の端部１１ａに粘着剤層がないため、取り扱いが容易である。
【００１８】
（容器封緘体）
上記容器封緘用粘着テープ１０を用いた容器封緘体１の一実施形態例について説明する。
図３、図４および図５に、本実施形態例の容器封緘体１を示す。本実施形態例の容器封緘体１は、容器本体部２１および容器本体部２１に対応する蓋部２２を有する容器２０と、上記容器封緘用粘着テープ１０とを具備する。
本実施形態例における容器２０は、容器本体部２１と蓋部２２とは接続されておらず、蓋部２２を容器本体部２１から分離できるようになっている。
【００１９】
本実施形態例における容器２０の容器本体部２１は、略矩形状の底面部２１ａと、底面部２１ａに対して折曲されて設けられた側面部２１ｂと、側面部２１ｂの端部αから外側に突出したフランジ部２１ｃとを有する。
ここで、側面部２１ｂは、底面部２１ａから離間するにつれて開口面積が次第に広くなるように設けられている。
フランジ部２１ｃは、容器本体部２１の開口部側の端部にあり、側面部２１ｂの最も底面部２１ａから離れた端部αに対し、底面部２１ａと平行になるように外側に折曲されて形成された突出部２１ｄと、突出部２１ｄに対して底面部２１ａ側に折曲されて形成された最外部２１ｅとを有する。
【００２０】
本実施形態例における蓋部２２は、略矩形状の上面部２２ａと、上面部２２ａに対して折曲されて設けられた側面部２２ｂと、側面部２２ｂの端部βに設けられ、容器本体部２１のフランジ部２１ｃを嵌入可能な嵌入部２２ｃとを有する。
ここで、側面部２２ｂは、上面部２２ａから離間するにつれて開口面積が次第に広くなると共に、上面部２２ａから最も離間した部分の開口面積が、容器本体部２１の最も底面部２１ａから離間した部分の開口面積と同等になるように設けられている。
嵌入部２２ｃは、側面部２２ｂの上面部２２ａから最も離れた端部βから、上面部２２ａと平行になるように外側に折曲されて形成され、容器本体部２１の突出部２１ｄに接する突出部支持部２２ｄと、突出部支持部２２ｄから上面部２２ａと反対側に折曲されて形成され、容器本体部２１の最外部２１ｅに接する最外部支持部２２ｅとを有する。
【００２１】
この容器封緘体１では、容器本体部２１に食品が収容された状態で、容器本体部２１のフランジ部２１ｃが蓋部２２の嵌入部２２ｃに嵌入されている。ここで、容器本体部２１のフランジ部２１ｃの突出部２１ｄは蓋部２２の突出部支持部２２ｄに接し、フランジ部２１ｃの最外部２１ｅは最外部支持部２２ｅに接している。このようにフランジ部２１ｃと嵌入部２２ｃとが接することにより、蓋部２２が容器本体部２１に保持された状態になる。
【００２２】
本実施形態例では、４つの容器封緘用粘着テープ１０が使用されている。具体的には、嵌入部２２ｃの最外部支持部２２ｅの外面ｐ１，ｐ２，ｐ３，ｐ４の各々の一部に、容器封緘用粘着テープ１０の中央の粘着剤層１２ｃ（図１，２参照）が貼着されている。
また、各容器封緘用粘着テープ１０の残りの一方の粘着剤層１２ａが蓋部２２の側面部２２ｂに貼着され、残りの他方の粘着剤層１２ｂが容器本体部２１の側面部２１ｂに貼着されている。
このように容器封緘用粘着テープ１０が貼着されていることにより、蓋部２２が容器本体部２１に留められる。
【００２３】
本実施形態例の容器封緘体１を開封する際には、容器封緘用粘着テープ１０の２本のミシン目Ｃ，Ｃの間の部分をミシン目Ｃに沿って、容器封緘用粘着テープ１０を引き裂いて、容器封緘用粘着テープ１０の、容器本体部２１に貼着された部分と、蓋部２２に貼着された部分とを分離する。このように分離した状態では、容器本体部２１と蓋部２２とが容器封緘用粘着テープ１０によって留められていない。したがって、蓋部２２を掴んで引き上げることにより、容器本体部２１から容易に取り外せる。
【００２４】
上述した容器封緘体１では、容器封緘用粘着テープ１０の中央の粘着剤層１２ｃを嵌入部２２ｃに貼着し、残りの一方の粘着剤層１２ａを蓋部２２の側面部２２ｂに貼着し、残りの他方の粘着剤層１２ｂを容器本体部２１の側面部２１ｂに貼着している。そのため、容器本体部２１と蓋部２２とは、容器封緘用粘着テープ１０によって留められて封緘されている。
このような容器封緘体１では、容器封緘用粘着テープ１０が貼着されている部分が容器２０の一部であるため、容器２０全体の見栄えおよび容器内部の視認性が良好である。また、テープの使用量は少なくて済むため、省資源化できる。
また、上述した容器封緘体１では、容器２０の各辺にて容器本体部２１と蓋部２２とを留めているため、蓋部２２が容器本体部２１から確実に外れにくくなっており、誤って開封されることが防止されている。
【００２５】
（容器封緘体の包装方法）
上記容器封緘体１を製造する方法について説明する。
本実施形態例の包装方法では、容器本体部２１に食品を充填し、容器本体部２１の上から蓋部２２を被せ、さらに、蓋部２２の嵌入部２２ｃに容器本体部２１のフランジ部２１ｃを嵌入して、容器本体部２１と蓋部２２とを一体化する。
次いで、容器封緘用粘着テープ１０の中央の粘着剤層１２ｃを、嵌入部２２ｃの最外部支持部２２ｅの外面ｐ１，ｐ２，ｐ３，ｐ４の各々に貼着する。ここで、容器封緘用粘着テープ１０をあらかじめ所定の長さにしている場合には切断の必要は無いが、容器封緘用粘着テープ１０を所定の長さにしていない場合には、所定の長さになるように切断する。
この貼着後においては、容器封緘用粘着テープ１０の粘着剤層１２ｃ以外の部分は、容器本体部２１または蓋部２２から離れている。
【００２６】
次いで、押圧手段（例えばスポンジ等の弾性体や風圧等）を用いて、容器封緘用粘着テープ１０の貼着されていない部分を容器本体部２１および蓋部２２に押し当てる。これにより、容器封緘用粘着テープ１０の残りの一方の粘着剤層１２ａを蓋部２２の側面部２２ｂに貼着し、残りの他方の粘着剤層１２ｂを容器本体部２１の側面部２１ｂに貼着する。
以上のようにして、容器本体部２１と蓋部２２とを、容器封緘用粘着テープ１０により封緘して、容器封緘体１を得る。
【００２７】
上記包装方法では、テープを容器に貼着する装置およびテープを切断する装置を用いれば、コンベア等を用いて連続的に搬送した容器２０に所定の長さの容器封緘用粘着テープ１０を貼着することができ、しかも自動化が容易である。
【００２８】
容器封緘用粘着テープ１０を用いる上記包装方法では、まず、粘着剤層１２ｃを嵌入部２２ｃに貼着することにより、容器封緘用粘着テープ１０を位置決めできる。さらに、容器２０をコンベア等で移動させながら容器封緘用粘着テープ１０を貼着させることも可能である。したがって、容易に容器封緘体１を得ることができる。
また、上記のように容器封緘用粘着テープ１０を貼着することにより、容器封緘体１の見栄えを良好にできる。
【００２９】
なお、本発明は、上記実施形態に限定されない。
例えば、容器封緘用粘着テープ１０の粘着剤層１２ａ，１２ｂ，１２ｃは、図６に示すように、基材１１の片面に断続的に設けられていてもよい。
また、容器封緘用粘着テープ１０は、粘着剤層１２ａ、粘着剤層１２ｂおよび粘着剤層１２ｃの幅が各々異なってもよい。粘着剤層１２ａと粘着剤層１２ｃ、粘着剤層１２ｂと粘着剤層１２ｃとの間隔も各々異なってもよい。
上記実施形態例の容器封緘用粘着テープ１０にはミシン目Ｃが形成されていたが、ミシン目Ｃが形成されていなくてもよい。ミシン目Ｃが形成されない場合には、容器封緘用テープの長手方向の端部に、開封時の切り裂きを補助するためのノッチを設けてもよい。
また、粘着剤層は３条に限定されず、２条であってもよいし、４条以上（例えば、４条、５条等）であってもよい粘着剤層が２条である場合には、図７に示すように、容器封緘用粘着テープ３０の一方の粘着剤層３２ａを、嵌入部２２ｃの最外部支持部２２ｅの外面の一部に貼着し、他方の粘着剤層３２ｂを容器本体部２１の側面部２１ｂに貼着する。
粘着剤層が４条以上である場合には、蓋部２２の嵌入部２２ｃおよび／または容器本体部２１の側面部２１ｂに、容器封緘用粘着テープの粘着剤層の２条以上を貼着することができる。
【００３０】
また、上述した実施形態例では、容器封緘用粘着テープ１０の中央の粘着剤層１２ｃを、嵌入部２２ｃの最外部支持部２２ｅの外面ｐ１，ｐ２，ｐ３，ｐ４の各々に貼着していたが、本発明は、外面ｐ１，ｐ２，ｐ３，ｐ４の少なくとも１つに貼着すればよい。しかし、誤って開封されないようにするためには、図８に示すように、少なくとも２つの外面に貼着することが好ましい。さらに、その２つの面は互いに対向する面（図示例では外面ｐ１，ｐ３）であることが好ましい。
また、容器封緘用粘着テープ１０の粘着剤層１２ｂは容器本体部２１の底面部２１ａに貼着してもよく、粘着剤層１２ａは蓋部２２の上面部２２ａに貼着してもよい。
【００３１】
本発明が適用される容器は上記実施形態例のものに限定されない。例えば、嵌入部を蓋部２２に設ける代わりに容器本体部２１に設け、フランジ部を容器本体部２１に設ける代わりに蓋部２２に設けてもよい。この場合には、図９に示すように、容器封緘用粘着テープ１０の中央の粘着剤層１２ｃを容器本体部２１の嵌入部２１ｆに貼着し、残りの一方の粘着剤層１２ｂを蓋部２２の側面部２２ｂに貼着し、残りの他方の粘着剤層１２ａを容器本体部２１の側面部２１ｂに貼着する。
また、図１０に示すような、蓋部２２が側面部を有さない容器であってもよいし、図１１に示すような、蓋部２２が上面部を有さない凸状の容器であってもよい。
【００３２】
容器は、容器本体部と蓋部とが部分的に接続されて蓋部が片開きするものであってもよい。このような片開きの容器の場合には、容器本体部と蓋部とが接続されている部分への容器封緘用粘着テープ１０の貼着は不要である。したがって、片開きの容器の場合に、誤って開封されにくくするためには、容器本体部と蓋部とが接続された部分の辺ｄ１に対向する辺ｄ３にて、容器封緘用粘着テープ１０により、容器本体部２１と蓋部２２とを留めることが好ましい。さらには、図１２に示すように、容器本体部と蓋部とが接続された部分の辺ｄ１以外の３辺ｄ２，ｄ３，ｄ４にて、容器封緘用粘着テープ１０により、容器本体部２１と蓋部２２とを留めることがより好ましい。
これらの場合にも、辺ｄ２，ｄ３，ｄ４では、容器封緘用粘着テープ１０の中央の粘着剤層１２ｃを嵌入部２２ｃに貼着し、残りの一方の粘着剤層１２ａを蓋部２２の側面部２２ｂに貼着し、残りの他方の粘着剤層１２ｂを容器本体部２１の側面部２１ｂに貼着することはいうまでもない。
【００３３】
また、容器は、容器本体部の底面部および蓋部の上面部が略正方形、略六角形、略八角形、楕円形、円形などであってもよい。
【符号の説明】
【００３４】
１  容器封緘体
１０，３０  容器封緘用粘着テープ
１１  基材
１２ａ，１２ｂ，１２ｃ，３２ａ，３２ｂ  粘着剤層
２０  容器
２１  容器本体部
２１ａ  底面部
２１ｂ  側面部
２１ｃ  フランジ部
２１ｄ  突出部
２１ｅ  最外部
２１ｆ  嵌入部
２２  蓋部
２２ａ  上面部
２２ｂ  側面部
２２ｃ  嵌入部
２２ｄ  突出部支持部
２２ｅ  最外部支持部
【図１】
2010241459.tif 000003
【図２】
2010241459.tif 000004
【図３】
2010241459.tif 000005
【図４】
2010241459.tif 000006
【図５】
2010241459.tif 000007
【図６】
2010241459.tif 000008
【図７】
2010241459.tif 000009
【図８】
2010241459.tif 000010
【図９】
2010241459.tif 000011
【図１０】
2010241459.tif 000012
【図１１】
2010241459.tif 000013
【図１２】
2010241459.tif 000014